(57)【特許請求の範囲】
【請求項１】
回動軸部と、
少なくとも３以上のポールであって、前記ポールの少なくとも長手方向の一方側の部分が前記回動軸部から放射状に延びる開位置と前記ポールが互いに略平行に沿う閉位置との間で開閉自在となるように前記回動軸部に軸支された前記ポールと、
前記ポールに設けられた少なくとも３以上の支持部と、
前記開位置に位置する前記ポールの周囲に配置され且つ前記支持部に支持される環状の天板とを備えているテーブル。
【請求項２】
請求項１記載のテーブルにおいて、
前記支持部は、前記ポールに沿う折畳位置と前記ポールに対して傾斜した支持位置との間を回動自在にとなるように前記ポールに軸支されており、且つ前記支持位置で前記天板を支持する構成となっているテーブル。
【請求項３】
請求項１又は２記載のテーブルにおいて、
前記支持部は、前記ポールに着脱可能な構成であるテーブル。
【請求項４】
請求項１記載のテーブルにおいて、
前記支持部は、前記ポールに設けられており且つ前記天板に係合し、当該天板を支持するフックを有するテーブル。
【請求項５】
請求項１記載のテーブルにおいて、
前記支持部は、前記天板に係合し、当該天板を支持するフックと、
前記ポールに固定されており且つ前記フックを吊り下げ支持する第１吊り下げ部とを有しているテーブル。
【請求項６】
請求項１〜５の何れかに記載のテーブルにおいて、
前記天板は、環状に配置された複数のプレートを有しており、
前記プレートは、プレート本体と、
前記プレート本体の縁から垂下された壁とを有しており、
前記支持部は、前記壁の一部が挿入された位置決め凹部を有しているテーブル。
【請求項７】
請求項１〜６の何れかに記載のテーブルにおいて、
前記ポールは４であり、
前記天板は四角環状であるテーブル。
【請求項８】
請求項１〜７の何れかに記載のテーブルにおいて、
第２吊り下げ部及び保持部の少なくとも一方を備えており、
前記第２吊り下げ部は、前記回動軸部及び前記ポールの少なくとも一方に設けられており且つ調理具及び照明部の少なくとも一つを吊り下げ支持可能であり、
前記保持部は、前記回動軸部及び前記ポールの少なくとも一方に設けられており且つ電子機器を保持可能であるテーブル。
【発明の詳細な説明】
【技術分野】
【０００１】
本発明は、テーブルに関する。
【背景技術】
【０００２】
従来のテーブルは下記特許文献１に記載されている。このテーブルは、四角環状の天板と、４つの脚部とを備えている。脚部は、天板の下面に沿う折り畳み位置と天板に対して略直角に位置する立脚位置との間を回動自在となるように天板に軸支されている。このテーブルは、立脚位置に位置した脚部が地面に載置され、天板の内側に配置された薪や炭に火がつけられて囲炉裏ように使用される。
【０００３】
このテーブルを用いて調理を行うときには、天板の内側に下記特許文献２に記載された支持脚が配置される。具体的には、支持脚の頂部に吊り下げられた自在鉤に鍋などが吊り下げ、天板の内側の薪や炭によって鍋調理等が行われる。
【先行技術文献】
【特許文献】
【０００４】
【特許文献１】特許第５５４７１４３号公報
【特許文献２】実用新案登録第３０９９１７１号公報
【発明の概要】
【発明が解決しようとする課題】
【０００５】
上記テーブル及び支持脚は、キャンプ等のアウトドアで使用されるものであるので、持ち運びを容易にするために軽量化が要求されている。また、低コスト化の観点から、上記テーブル及び支持脚の材料を低減することも要求されている。
【０００６】
本発明は、上記事情に鑑みて創案されたものであって、その目的とするところは、軽量化及び低コスト化可能なテーブルを提供することにある。
【課題を解決するための手段】
【０００７】
上記課題を解決するために、本発明の一態様のテーブルは、回動軸部と、少なくとも３以上のポールと、少なくとも３以上の支持部と、環状の天板とを備えている。ポールは、開位置と閉位置との間で開閉自在となるように回動軸部に軸支されている。開位置は、ポールの少なくとも長手方向の一方側の部分が回動軸部から放射状に延びる位置である。閉位置は、ポールが互いに略平行に沿う位置である。支持部は、ポールに設けられている。天板は、開位置に位置するポールの周囲に配置され且つ支持部に支持されている。
【０００８】
このような態様のテーブルは、軽量化及び低コスト化できる。なぜなら、本テーブルのポールは、天板を支持する脚部と、回動軸部及びポールで構成される支持脚の脚部とを兼ねているため、本テーブルは従来のテーブルの脚部の分、部品点数が少なくなるからである。
【０００９】
支持部は、ポールに沿う折畳位置とポールに対して傾斜した支持位置との間を回動自在にとなるようにポールに軸支された構成とすることが可能である。支持部は、支持位置で天板を支持する構成とすることが可能である。このような態様のテーブルによる場合、支持部を折畳位置に位置させ、ポールに沿わせることにより、ポールを閉位置に位置させたときに、支持部同士が緩衝したり支持部がポールに当接したりする可能性を低減することができる。
【００１０】
支持部は、ポールに着脱可能な構成とすることが可能である。このような態様のテーブルによる場合、支持部をポールから取り外すことにより、ポールを閉位置に位置させたときに、支持部同士が緩衝したり支持部がポールに当接したりすることを防止できる。
【００１１】
支持部がフックを有する構成とすることが可能である。フックは、ポールに設けられており且つ天板に係合し、当該天板を支持する構成とすることが可能である。又は、支持部は、フックと、第１吊り下げ部とを有する構成とすることが可能である。この場合、フックは、天板に係合し、当該天板を支持する構成とすることが可能である。第１吊り下げ部は、ポールに固定されており且つフックを吊り下げ支持する構成とすることが可能である。第１吊り下げ部は、チェーンやワイヤー等とすることが可能である。
【００１２】
天板は、環状に配置された複数のプレートを有する構成とすることが可能である。プレートは、プレート本体と、プレート本体の縁から垂下された壁とを有する構成とすることが可能である。支持部は、壁の一部が挿入された位置決め凹部を有する構成とすることが可能である。このような態様のテーブルによる場合、プレートの壁の一部が支持部の位置決め凹部に挿入されているので、天板が支持部上で不用意に可動することを抑制することができる。
【００１３】
ポールは４つとすることが可能である。この場合、天板は、四角環状とすることが可能である。
【００１４】
上記した何れかの態様のテーブルは、第２吊り下げ部及び保持部の少なくとも一方を更に備えていても良い。第２吊り下げ部は、回動軸部及びポールの少なくとも一方に設けられており且つ調理具及び照明部の少なくとも一方を吊り下げ支持可能な構成とすることが可能である。第２吊り下げ部は、自在鉤又はフック等の係合部を有する構成、又は、係合部とチェーン又はワイヤー等の可撓性を有する吊り下げ手段とを有する構成とすることが可能である。保持部は、回動軸部及びポールの少なくとも一方に設けられており且つ電子機器を保持可能な構成とすることが可能である。
【図面の簡単な説明】
【００１５】
【図１】本発明の実施例の一態様に係るテーブルの概略的斜視図である。
【図２Ａ】前記テーブルの天板と支持部との関係を説明するための説明図である。
【図２Ｂ】前記テーブルの図２Ａの四つの角部のうちの一つの拡大図である。
【図３】前記テーブルの図２Ｂ中の３−３部分断面図である。
【図４】前記テーブルの図３に対応する部分断面図であって、当該テーブルの支持部の別の態様を示す図である。
【図５】前記テーブルの図３に対応する部分断面図であって、当該テーブルの支持部の更に別の態様を示す図である。
【発明を実施するための形態】
【００１６】
以下、本発明の実施例に係るテーブルついて図１〜図５を参照しつつ説明する。このテーブルは、支持脚Ｌと、天板Ｔとを備えている。
【００１７】
天板Ｔは、環状（多角環状又は円環状）であれば良い。天板Ｔが多角環状である場合、天板Ｔは、少なくとも３以上の内側角部Ｔ１を有する構成とすることが可能である。内側角部Ｔ１は、天板Ｔの内側の角部である。図１〜図３では、天板Ｔは、四角環状であり、４つの内側角部Ｔ１を有している。なお、図２Ａ及び図２Ｂでは、説明の便宜上、天板Ｔを二点鎖線で示している。本明細書における天板Ｔの内側は、天板Ｔの中心側であり、天板Ｔの外側は天板Ｔの内側の反対側である。
【００１８】
支持脚Ｌは、回動軸部１００と、少なくとも３以上のポール２００と、少なくとも３以上の支持部３００とを備えている。
【００１９】
各ポール２００は、長尺状の棒又は筒である。各ポール２００は、少なくとも一つの棒又は筒で構成されていても良いし、複数の棒又は筒が当該ポール２００の長手方向に連結された構成であっても良い。図１では、ポール２００は後者である。各ポール２００は、当該ポール２００の長手方向の一端部（以下、第１端部と称する。）と、当該ポール２００の長手方向の他端部（以下、第２端部と称する。）と、中間部とを有していても良い。
【００２０】
回動軸部１００は、少なくとも３以上のポール２００を開位置と閉位置との間で開閉自在となるように軸支している。開位置は、ポール２００の少なくとも長手方向の一方側の部分が回動軸部１００から放射状に延びる位置である。ポール２００は開位置に位置した状態で、支持脚Ｌが地面に立脚可能となり且つ天板Ｔ内に配置可能となる。換言すると、天板Ｔは、開位置に位置したポール２００の周りに配置可能である。閉位置は、ポール２００が互いに略平行に沿う位置である。
【００２１】
回動軸部１００は、本体部１１０と、少なくとも３つの軸支部１２０とを有している。本体部１１０は、円板又は多角形の板等とすることが可能である。天板Ｔが多角環状である場合、軸支部１２０は、天板Ｔの内側角部Ｔ１に対応するように本体部１１０に設けられていると良い。これにより、開位置に位置するポール２００が、天板Ｔの内側角部Ｔ１の内側近傍に配置される。天板Ｔが円環状である場合、軸支部１２０は、本体部１１０に天板Ｔの周方向に間隔をあけて設けられていると良い。これにより、開位置に位置するポール２００が、天板Ｔの内側の周縁近傍に配置される。
【００２２】
各軸支部１２０が各ポール２００の長手方向の一部（例えば、ポール２００の第１端部又は中間部）を回動自在に軸支している。軸支部１２０がポール２００の第１端部を回動自在に軸支する場合、ポール２００が回動軸部１００の本体部１１０から離れるように延びている。軸支部１２０がポール２００の中間部を回動自在に軸支する場合、ポール２００の中間部よりも長手方向の一端側の部分が回動軸部１００の本体部１１０を貫通して上方に延び、ポール２００の中間部よりも長手方向の他端側の部分が回動軸部１００の本体部１１０から下方に延びている。
【００２３】
図１では、回動軸部１００の軸支部１２０（図示三つ）及びポール２００が４つである。各軸支部１２０が各ポール２００の第１端部を回動自在に軸支している。
【００２４】
各支持部３００は、各ポール２００に設けられおり且つ当該支持部３００の少なくとも一部が天板Ｔの外側に延びていると良い。この支持部３００が、開位置に位置したポール２００の周りに配置された天板Ｔを下側から支持する構成となっている。支持部３００は、斜め上に傾斜しており、天板Ｔの後述するプレートに下側から当接していても良い。具体的には、支持部３００は、下記１）〜４）の構成とすることが可能であるが、これに限定されるものではない。
【００２５】
１）各支持部３００は、各ポール２００に折畳位置から支持位置にかけて回動自在に軸支された構成とすることが可能である。折畳位置は支持部３００がポール２００に沿う位置である。支持位置は、支持部３００がポール２００に対して傾斜し且つ当該支持部３００が天板Ｔの外側に延びるように位置する位置である。支持部３００は、棒、ポール、平板又は断面視略Ｕ字状の板で構成することが可能である。図２Ａ〜図３では、支持部３００は、断面視略Ｕ字状の板であって、第１側板３１０と、第２側板３２０と、第１側板３１０と第２側板３２０とを連結する底板３３０とを有している。第１側板３１０及び第２側板３２０の長手方向の一端部間にポール２００が挿入され、当該一端部がポール２００に回動自在に軸支されている。
【００２６】
２）各支持部３００は、各ポール２００に対して着脱可能な構成とすることが可能である。この場合、支持部３００は、棒、ポール、平板又は断面視略Ｕ字状の板で構成することが可能である。支持部３００が断面視略Ｕ字状の板で構成されている場合、第１側板と、第２側板と、第１側板と第２側板とを連結する底板とを有している。この支持部３００が各ポール２００の固定孔に挿入され、固定されるようになっている。
【００２７】
３）各支持部３００は、各ポール２００に設けられたフック３４０を有する構成とすることが可能である。図４では、フック３４０は、略Ｌ字状の第１、第２側板と、第１、第２側板を連結する底板とを有している。フック３４０は、略Ｌ字状の棒、ポール又は平板で構成することも可能である。フック３４０の下端部が天板Ｔの外側に延びている。
【００２８】
４）各支持部３００は、第１吊り下げ部３５０と、フック３６０とを有する構成とすることが可能である。第１吊り下げ部３５０は、鎖やワイヤー等である。第１吊り下げ部３５０の長手方向の一端部がポール２００に固定され、第１吊り下げ部３５０の長手方向の他端部がフック３６０に取り付けられている。フック３６０は、フック３４０と同様の構成とすることが可能である（図５参照）。フック３６０は、第１吊り下げ部３５０に吊り下げられた状態で、フック３４０の下端部が天板Ｔの外側に延びるように配置可能である。フック３４０又は３６０は、開位置に位置したポール２００の周りに配置された天板Ｔを下側から支持する。
【００２９】
天板Ｔは、複数のプレートを有する構成とすることが可能である。天板Ｔのプレートは環状に配置されている。天板Ｔが多角環状である場合、当該天板Ｔのプレートが当該多角環状の一辺を構成していていも良いし、当該天板Ｔのプレートが当該多角環状の一辺の一部を構成していても良い。天板Ｔが円環状である場合、当該天板Ｔのプレートは、円弧状とすると良い。
【００３０】
天板Ｔの各プレートは、プレート本体と、少なくとも一つの壁とを有する構成とすることが可能である。壁は、プレート本体の複数の縁の一つの縁から垂下されている。例えば、各プレートの壁は、略矩形状又は略円弧状のプレート本体の短手方向の一方側の縁から垂下された板状の第１壁と、前記プレート本体の短手方向の他方側の縁から垂下された板状の第２壁とを含んでいても良い。又は、各プレートの壁は、略矩形状又は略円弧状のプレート本体の長手方向の一方側の縁から垂下された板状の第３壁と、前記プレート本体の長手方向の他方側の縁から垂下された板状の第４壁とを含んでいても良い。又は、各プレートの壁は、第１壁、第２壁、第３壁及び第４壁を含んでいても良い。図１〜図３では、天板Ｔは、四角環状に配置された４つの矩形状のプレート４１０を有している。各プレート４１０は、プレート本体４１１と、プレート本体４１１の短手方向の一方側の縁から垂下された板状の第１壁４１２ａと、プレート本体４１１の短手方向の他方側の縁から垂下された板状の第２壁４１２ｂと、プレート本体４１１の長手方向の一方側の縁から垂下された板状の第３壁４１３ａと、プレート本体４１１の短手方向の他方側の縁から垂下された板状の第４壁４１３ｂとを有している。
【００３１】
天板Ｔは、隣り合うプレートを着脱可能に連結する少なくとも一つの連結部を更に備えていても良い。この連結部は、ネジ、ピン及び／又は係合手段を用いることが可能である。連結部は、隣り合うプレートのプレート本体を着脱可能に連結しても良いし、隣り合うプレートの壁同士を着脱可能に連結していても良い。例えば、連結部は、隣り合うプレートのうちの一方のプレートの第３壁と他方のプレートの第４壁とを着脱可能に連結する構成とすることが可能である。又は、連結部は、隣り合うプレートのうちの一方のプレートの第１壁と他方のプレートの第３壁とを着脱可能に連結する構成とすることが可能である。係合手段は、少なくとも一つの係合突部及び係合孔を有する構成とすることが可能である。係合突部は、隣り合うプレートのうちの一方のプレートに設けられており、係合孔は他方のプレートに設けられている。係合突部が係合孔に係合されることにより、隣り合うプレートが連結されるようになっている。なお、隣り合うプレートのうち、連結部により連結されないものがある場合、ヒンジ等によって折り畳み可能に連結されていても良い。
【００３２】
図１〜図３では、天板Ｔは、４つの連結部を有している。連結部は、隣り合うプレート４１０（一方のプレート４１０と他方のプレート４１０）を着脱可能に連結する係合手段である。この係合手段は、一方のプレート４１０の第１壁４１２ａに設けられた二つの係合孔４１４と、他方のプレート４１０の第３壁４１３ａに設けられた二つの係合突部４１５とを有している。係合突部４１５が係合孔４１４に各々係合され、隣り合う一方のプレート４１０の第１壁４１２ａと他方のプレート４１０の第３壁４１３ａとを連結している。
【００３３】
支持部３００は、少なくとも一つの位置決め凹部を更に有していても良い。この位置決め凹部は、複数のプレートうちの少なくとも一つのプレートの少なくとも一つの壁の一部が挿入されている。これにより、当該少なくとも一つのプレートが支持部３００に対して位置決めされている。
【００３４】
支持部３００が、第１側板３１０と、第２側板３２０とを有している場合、第１側板３１０に位置決め凹部３１１及び位置決め凹部３１２が設けられており、第２側板３２０に位置決め凹部３２１が設けられた構成とすることが可能である。位置決め凹部３１１には、一方のプレート４１０の第１壁４１２ａ及び他方のプレート４１０の第３壁４１３ａの一部が挿入されている。位置決め凹部３１２には、他方のプレート４１０の第１壁４１２ａの一部が挿入されている。位置決め凹部３２１には、一方のプレート４１０の第１壁４１２ａの別の一部が挿入されている。なお、２）の構成の支持部３００の第１側板及び第２側板にも、本段落の支持部３００と同様に位置決め凹部を設けることが可能である。
【００３５】
支持部３００のフック３４０が、Ｌ字の第１、第２側板を有している場合、第１側板に位置決め凹部３４１及び位置決め凹部３４２が設けられており、第２側板に図示しない位置決め凹部が設けられた構成とすることが可能である。位置決め凹部３４１は、位置決め凹部３１１と同様の構成であり、位置決め凹部３４２は、位置決め凹部３１２と同様の構成である。第２側板の位置決め凹部は、位置決め凹部３２１と同様の構成である。
【００３６】
支持部３００のフック３６０が、第１、第２側板を有している場合、第１側板に位置決め凹部３６１及び位置決め凹部３６２が設けられており、第２側板に図示しない位置決め凹部が設けられた構成とすることが可能である。位置決め凹部３６１は、位置決め凹部３１１と同様の構成であり、位置決め凹部３６２は、位置決め凹部３１２と同様の構成である。第２側板の位置決め凹部は、位置決め凹部３２１と同様の構成である。
【００３７】
支持脚Ｌは、図示しない第２吊り下げ部及び保持部の少なくとも一方を備えていても良い。第２吊り下げ部は、回動軸部１００及びポール２００の少なくとも一つに設けられている。第２吊り下げ部は、自在鉤又はフック等の係合部を有する構成、又は、係合部とチェーン又はワイヤー等の可撓性を有する吊り下げ手段とを有する構成とすることが可能である。前者の場合、係合部は、回動軸部１００の本体部１１０の下面に設けられており且つ調理具又は照明部を吊り下げ可能である。後者の場合、吊り下げ手段は、鎖やワイヤー等である。吊り下げ手段の長手方向の一端部が回動軸部１００の本体部１１０の下面に固定されている。係合部は、吊り下げ手段に吊り下げ支持されており、且つ調理具又は照明部を吊り下げ可能である。調理具は、例えば、鍋やダッチオーブンである。照明部はランタン等である。回動軸部１００は、図示しない定滑車を更に有する構成とすることが可能である。この場合、吊り下げ手段は、回動軸部１００の本体部１１０に固定されるのではなく、定滑車に移動自在にかけられていても良い。
【００３８】
保持部は、回動軸部１００及びポール２００の少なくとも一つに設けられている。保持部は、ビデオカメラ等の電子機器を固定可能である。
【００３９】
以下、図１〜図３に示されるテーブルの組み立て手順について詳しく説明する。支持脚Ｌを用意する。ポール２００が複数の棒又は筒で構成されている場合には、棒又は筒を連結し、ポール２００とする。ポール２００を閉位置から開位置へ移動させる。支持部３００を折畳位置から支持位置に回動させる。
【００４０】
その一方で、天板Ｔの４つのプレート４１０を用意する。その後、４つのプレート４１０を四角環状に組み合わせる。具体的には、隣り合うプレート４１０のうちの一方のプレート４１０の係合突部４１５を他方のプレート４１０の係合孔４１４に係合させる。このようにプレート４１０が組み合わされ、天板Ｔとなる。
【００４１】
その後、支持脚Ｌを天板Ｔ内に配置する。換言すると、天板Ｔを支持脚Ｌの周囲に配置する。その後、支持脚Ｌのポール２００を天板Ｔの内側角部Ｔ１の内側近傍に配置し、且つ支持位置に位置した支持部３００上に天板Ｔを載置する。このとき、支持部３００の位置決め凹部３１２に一方のプレート４１０の第１壁４１２ａ及び他方のプレート４１０の第３壁４１３ａの一部が挿入され、支持部３００の位置決め凹部３１２に、他方のプレート４１０の第１壁４１２ａの一部が挿入され、支持部３００の位置決め凹部３２１に、一方のプレート４１０の第１壁４１２ａの別の一部が挿入される。以上のようにテーブルが組み立てられる。
【００４２】
以下、図１〜図３に示されるテーブルを分解する手順について詳しく説明する。まず、天板Ｔを持ち上げて支持脚Ｌから取り外す。天板Ｔを４つのプレート４１０に分解する一方で、支持部３００を支持位置から折畳位置に回動させ、ポール２００を開位置から閉位置に移動させる。ポール２００が複数の棒又は筒で構成されている場合、棒又は筒を分裂させる。このようにしてテーブルを分解することができる。
【００４３】
以上のようなテーブルは、以下の技術的特徴を有している。第１に、本テーブルを軽量化及び低コスト化できる。なぜなら、本テーブルの支持脚Ｌのポール２００が、天板Ｔを支持する脚部と、支持脚Ｌの脚部とを兼ねているため、本テーブルは従来のテーブルの脚部の分、部品点数が少なくなるからである。
【００４４】
第２に、支持部３００がポール２００に対して回動自在に軸支されている場合又はポール２００に対して着脱自在である場合、ポール２００を開位置から閉位置に位置させたときに、支持部３００同士が衝突したり、支持部３００がポール２００に当接したりする可能性を低減することができる。支持部３００は折畳位置に位置している又はポール２００から取り外されているからである。
【００４５】
第３に、支持部３００に位置決め凹部が設けられている場合、天板Ｔが支持部３００上で不用意に可動することを抑制することができる。支持部３００の位置決め凹部に、天板Ｔの少なくとも一つのプレートの少なくとも一つの壁が挿入されて位置決めされているからである。
【００４６】
第４に、本テーブルは、天板Ｔの内側に炭や薪などを置き、これに火をつけて囲炉裏のように使用することができる。また、支持脚Ｌが第２吊り下げ部材を備えている場合、第２吊り下げ部材に調理具を吊り下げて調理を行うことができる。又は、第２吊り下げ部材に照明部を吊り下げることも可能である。又は、支持脚Ｌが保持部を有している場合、保持部にカメラ（アクションカメラ）等の電子機器を保持させ、周囲の環境を撮影させることも可能である。
【００４７】
なお、上記したテーブルは、上記実施例に限定されるものではなく、特許請求の範囲の記載範囲において任意に設計変更することが可能である。以下、詳しく述べる。
【００４８】
本発明のポールは、開位置で天板の内側角部に係合された構成とすることが可能である。又は、本発明の天板の内側の縁部に少なくとも３以上の開口が設けられている場合、本発明のポールが、開位置で天板の凹部に係合された構成とすることが可能である。これらのような態様のテーブルによる場合、ポールが天板の内側角部又は凹部に係合されているので、ポールが開位置に位置した状態が安定する。
【００４９】
本発明の第２吊り下げ部及び／保持部は省略可能である。
【００５０】
なお、上記実施例及び設計変形例におけるテーブルの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。
【符号の説明】
【００５１】
Ｌ：支持脚
１００：回動軸部
１１０：本体部
１２０：軸支部
２００：ポール
３００：支持部
３１０：第１側板
３１１：位置決め凹部
３１２：位置決め凹部
３２０：第２側板
３２１：位置決め凹部
３３０：底板
３４０：フック
３４１：位置決め凹部
３４２：位置決め凹部
３５０：第１吊り下げ部
３６０：フック
３６１：位置決め凹部
３６２：位置決め凹部
Ｔ：天板
Ｔ１：内側角部
４１０：プレート
４１１：プレート本体
４１２ａ：壁
４１２ｂ：壁
４１３ａ：壁
４１３ｃ：壁
４１３ｂ：壁
４１４：係合孔
４１５：係合突部
【図１】
0006478876.tif 000002
【図２Ａ】
0006478876.tif 000003
【図２Ｂ】
0006478876.tif 000004
【図３】
0006478876.tif 000005
【図４】
0006478876.tif 000006
【図５】
0006478876.tif 000007